【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
照明光により照射された被検眼からの反射光と撮像手段とを用いて撮像する撮像光学系と、
前記被検眼の物性に基づいて、前記被検眼の固有情報を取得するためのパラメータを決定する決定手段と、
前記決定されたパラメータと前記撮像手段の出力とに基づいて、前記固有情報を取得する取得手段と、
を有することを特徴とする眼科装置。
【請求項２】
前記取得手段は、前記決定されたパラメータを用いて、前記撮像して得た画像の重心位置を算出して眼屈折力情報を取得することを特徴とする請求項１に記載の眼科装置。
【請求項３】
前記取得手段は、前記決定されたパラメータを用いて、前記撮像して得た画像に対して色変換された前記被検眼の像を取得することを特徴とする請求項１に記載の眼科装置。
【請求項４】
前記取得手段は、前記決定されたパラメータを用いて、前記撮像して得た画像の光量を調整し眼屈折力情報を取得することを特徴とする請求項１に記載の眼科装置。
【請求項５】
前記物性は、前記被検眼の眼底散乱率であり、
前記決定手段は、前記眼底散乱率が基準散乱率より高い場合、前記撮像手段の出力から前記固有情報を取得するための閾値が基準閾値よりも高い値になるように、前記閾値を前記パラメータとして決定することを特徴とする請求項１または２に記載の眼科装置。
【請求項６】
前記物性は、視度であり、
前記決定手段は、前記視度が近視の場合に、前記パラメータとしての前記照明光の光量を増加させることを特徴とする請求項１または４に記載の眼科装置。
【請求項７】
前記決定手段は、被検者の人種により異なる前記被検眼の虹彩の輝度または色相に応じて、前記被検眼からの反射光に係る光束の像の重心位置算出のための閾値パラメータ、あるいは前記被検眼の像の色変換のための色変換パラメータを決定することを特徴とする請求項１乃至５のいずれか１項に記載の眼科装置。
【請求項８】
前記決定手段は、前記被検眼の前眼部を赤外光または可視光で撮像する前眼部撮像手段と、前記前眼部撮像手段で撮像される前記被検眼の虹彩の輝度または色相を検出する検出手段と、を備えることを特徴とする請求項７に記載の眼科装置。
【請求項９】
前記決定手段は、前記被検眼の前眼部の照射光量を一定にしたときの前記前眼部撮像手段の出力に基づいて前記被検眼の虹彩の輝度を検出することを特徴とする請求項８に記載の眼科装置。
【請求項１０】
前記決定手段は、被検者が欧米人である場合には、被検者が日本人の場合より高い前記閾値パラメータを決定し、あるいは被検者が日本人である場合の背景色に一致または類似するように前記色変換パラメータを決定することを特徴とする請求項７乃至９のいずれか１項に記載の眼科装置。
【請求項１１】
前記決定手段は、前記被検眼の眼屈折力の予備測定結果に応じて、近視の場合には遠視の場合と比べて眼底位置が遠くなり撮像光量が低下することを補償するために照射光量を調整する照射光量パラメータを決定することを特徴とする請求項６に記載の眼科装置。
【請求項１２】
前記被検眼の像は眼底像であることを特徴とする請求項３に記載の眼科装置。
【請求項１３】
被検眼を撮像する撮像手段の出力から前記被検眼の眼屈折力情報を取得するための閾値を決定する決定手段と、
前記決定された閾値と前記撮像手段の出力とに基づいて、前記眼屈折力情報を取得する取得手段と、
を有することを特徴とする眼科装置。
【請求項１４】
前記決定手段は、前記被検眼の眼底散乱率が基準散乱率より高い場合、基準閾値よりも高い値を前記閾値として決定することを特徴とする請求項１３に記載の眼科装置。
【請求項１５】
照明光により照射された被検眼からの反射光と撮像手段とを用いて撮像光学系で撮像する撮像ステップと、
前記被検眼の物性に基づいて、前記被検眼の固有情報を取得するためのパラメータを決定手段で決定する決定ステップと、
前記決定されたパラメータと前記撮像手段の出力とに基づいて、前記固有情報を取得する取得ステップと、
を有することを特徴とする眼科方法。
【請求項１６】
前記物性は、前記被検眼の眼底散乱率であり、
前記決定ステップは、前記眼底散乱率が基準散乱率より高い場合、前記撮像手段の出力の閾値が基準閾値よりも高い値になるように、前記撮像手段の出力の閾値を前記パラメータとして決定することを特徴とする請求項１５に記載の眼科方法。
【請求項１７】
前記物性は、視度であり、
前記決定ステップは、前記視度が近視の場合に、前記パラメータとしての前記照明光の光量を増加させることを特徴とする請求項１５に記載の眼科方法。
【請求項１８】
被検眼を撮像する撮像手段の出力から前記被検眼の眼屈折力情報を取得するための閾値を決定する決定ステップと、
前記決定された閾値と前記撮像手段の出力とに基づいて、前記眼屈折力情報を取得する取得ステップと、
を有することを特徴とする眼科方法。
【請求項１９】
前記決定ステップは、前記被検眼の眼底散乱率が基準散乱率より高い場合、基準閾値よりも高い値を前記閾値として決定することを特徴とする請求項１８に記載の眼科方法。
【請求項２０】
請求項１５乃至１９のいずれか１項に記載の眼科方法の各工程をコンピュータに実行させるプログラムを記憶した記憶媒体。
【手続補正２】
【補正対象書類名】明細書
【補正対象項目名】発明の名称
【補正方法】変更
【補正の内容】
【発明の名称】眼科装置および眼科方法並びに記憶媒体
【手続補正３】
【補正対象書類名】明細書
【補正対象項目名】０００１
【補正方法】変更
【補正の内容】
【０００１】
本発明は、被検眼固有情報（例えば眼屈折力、眼底像等）を取得する眼科装置および眼科方法並びに記憶媒体に関するものである。
【手続補正４】
【補正対象書類名】明細書
【補正対象項目名】０００６
【補正方法】変更
【補正の内容】
【０００６】
本発明の目的は、前記問題点を解消し、固有情報の取得時間を短縮することにより被検者の負担を軽減し、正確な固有情報を取得することが可能な眼科装置および眼科方法並びに記憶媒体を提供することである。
【手続補正５】
【補正対象書類名】明細書
【補正対象項目名】０００７
【補正方法】変更
【補正の内容】
【０００７】
上記目的を達成するため、本発明に係る眼科装置は、照明光により照射された被検眼からの反射光と撮像手段とを用いて撮像する撮像光学系と、前記被検眼の物性に基づいて、前記被検眼の固有情報を取得するためのパラメータを決定する決定手段と、前記決定されたパラメータと前記撮像手段の出力とに基づいて、前記固有情報を取得する取得手段と、を有することを特徴とする。
また、本発明に係る別の眼科装置は、被検眼を撮像する撮像手段の出力の閾値を決定する決定手段と、前記決定された閾値と前記撮像手段の出力とに基づいて、前記被検眼の眼屈折力情報を取得する取得手段と、を有することを特徴とする。
【手続補正６】
【補正対象書類名】明細書
【補正対象項目名】０００８
【補正方法】変更
【補正の内容】
【０００８】
また、本発明に係る眼科方法は、照明光により照射された被検眼からの反射光と撮像手段とを用いて撮像光学系で撮像する撮像ステップと、前記被検眼の物性に基づいて、前記被検眼の固有情報を取得するためのパラメータを決定手段で決定する決定ステップと、前記決定されたパラメータと前記撮像手段の出力とに基づいて、前記固有情報を取得する取得ステップと、を有することを特徴とする。
また、本発明に係る別の眼科方法は、被検眼を撮像する撮像手段の出力の閾値を決定する決定ステップと、前記決定された閾値と前記撮像手段の出力とに基づいて、前記被検眼の眼屈折力情報を取得する取得ステップと、を有することを特徴とする。
【手続補正７】
【補正対象書類名】明細書
【補正対象項目名】０００９
【補正方法】変更
【補正の内容】
【０００９】
また、眼科方法の各工程をコンピュータに実行させるプログラムを記憶する記憶媒体も本発明の一側面を構成する。
【手続補正８】
【補正対象書類名】明細書
【補正対象項目名】００６２
【補正方法】変更
【補正の内容】
【００６２】
（プログラム）
本発明は、上述したフローチャートに基づく眼科方法に関連して、プログラムとして、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。